(57)【要約】【課題】周辺枠に設けた窓を長孔を開けた支持面板に、鉄筋間隔に収まる中間添板と鉄筋の通孔をあけた上添板及び下添板を重ねた窓埋板で閉塞させることにより、鉄筋の間隔が変れば之に応じて添板を変えると、支持面板は共用することができるＰＣ床版等の製造型枠を提供すること。【解決手段】型枠Ａの内部に鉄筋４をその一部が周辺枠２、３より外へ張り出すように収容して、コンクリートを打設することで、本体の周辺から接合用の鉄筋が張り出すＰＣ床版等を成形する型枠であって、この型枠の周辺枠は、上記鉄筋の張り出す部分を窓５として、この窓５を、等配置の鉄筋の最大間隔のものに合う長孔１２を複数形成した支持面板６に、等配置の鉄筋の各種の間隔に合う幅に形成した中間添板７と、この中間添板の上下に配して内縁側にそれぞれ鉄筋を通す孔１４をあけた上添板８と下添板９を重ねた窓埋板１０で閉塞させたこと。【選択図】図２
2009119684.tif 000002
【特許請求の範囲】
【請求項１】
型枠の内部に鉄筋をその一部が周辺枠より外へ張り出すように収容して、コンクリートを打設することで、本体の周辺から接合用の鉄筋が張り出すＰＣ床版等を成形する型枠であって、
この型枠の周辺枠は、上記鉄筋の張り出す部分を窓として、
この窓を、等配置の鉄筋の最大間隔のものに合う長孔を複数形成した支持面板に、等配置の鉄筋の各種の間隔に合う幅に形成した中間添板と、この中間添板の上下に配して内縁側にそれぞれ鉄筋の通孔をあけた上添板と下添板を重ねた窓埋板で閉塞させた
ことを特徴とするＰＣ床版等の成形型枠。
【請求項２】
上記窓埋板における上添板と下添板は支持面板へ取り付けられ、中間添板は支持面板へ添え付けられて、外部からの引っ張りで支持面板へ固定されるようにしてある
ことを特徴とする請求項１に記載のＰＣ床版等の成形型枠。
【請求項３】
型枠の内部に鉄筋をその一部が周辺枠より外へ張り出すように収容して、コンクリートを打設することで、本体の周辺から接合用の鉄筋が張り出すＰＣ床版等を成形する型枠であって、
上記周辺枠の外側に、各鉄筋の張出部がループをなす場合、その下部を受ける受材を、所要の間隔で周辺枠に支持させた複数の昇降軸に定着し、これら昇降軸にそれぞれ楔、カム等の昇降手段を連係させてある
ことを特徴とするＰＣ床版等の成形型枠。
【請求項４】
上記鉄筋の張出部が複数の並列する直筋である場合、各張出部の下側を受ける複数の受材を、所要の間隔で周辺枠に支持される複数の昇降軸に定着し、これら昇降軸にそれぞれ楔、カム等の昇降手段を連係させてある
ことを特徴とする請求項３に記載のＰＣ床版等の成形型枠。
【請求項５】
型枠の内部に鉄筋をその一部が周辺枠より外へ張り出すように収容して、コンクリートを打設することで、本体の周辺から接合用の鉄筋が張り出すＰＣ床版等を成形する型枠であって、
上記周辺枠の外側に、各鉄筋の張り出し寸法を揃える定規を、基端を枢軸で周辺枠へ取り付けた回動腕に支持させて設け、この定規を不用時は上方へ退避させ、使用時はストッパーで計寸位置に保持させる
ことを特徴とするＰＣ床版等の成形型枠。
【発明の詳細な説明】
【技術分野】
【０００１】
本発明は、版体の周辺から鉄筋の一部が張り出す例えばＰＣ床版等を製造する型枠に関する。
【背景技術】
【０００２】
従来、張出筋を有するＰＣ床版等のコンクリート製品を成形する型枠として、型枠の内部に鉄筋をその一部が側枠より外へ張り出すように収容して、コンクリートを打設することで、本体の周辺から接合用の鉄筋が張り出すＰＣ床版等を成形する型枠であって、この型枠の側枠は鉄筋の張出筋を外に出す部分を窓として、この窓から張出筋を外へ張り出させ、その後、張出筋に合わせて切込を設けた当板を窓に当ててこれを閉じ、張出筋が外へ出る側枠を構成させるものは知られている。（例えば、特許文献１参照）
【特許文献１】特開平１０−１６６３４８号公報
【０００３】
しかしながら、側枠の張出筋を外に出す部分を窓として、この窓を張出筋に合わせて切込を設けた当板で閉じる場合は、製品に応じて張出筋の間隔が変わると、その都度、当板を作り直さなければならない問題点があった。
【発明の開示】
【発明が解決しようとする課題】
【０００４】
本発明は前記問題点を解消し、周辺枠に設けた窓を長孔を開けた支持面板に、鉄筋間隔に収まる中間添板と鉄筋の通孔をあけた上添板及び下添板を重ねた窓埋板で閉塞させることで、鉄筋の間隔が変れば之に応じて添板を変えるだけで、支持面板は共用することができるＰＣ床版等の製造型枠を提供することをその課題とする。
【課題を解決するための手段】
【０００５】
前記課題を解決するため本発明に係るＰＣ床版等の成形型枠は、下記の構成を採用することを特徴とする。
【０００６】
請求項１に係る発明は、型枠の内部に鉄筋をその一部が周辺枠より外へ張り出すように収容して、コンクリートを打設することで、本体の周辺から接合用の鉄筋が張り出すＰＣ床版等を成形する型枠であって、この型枠の周辺枠は、上記鉄筋の張り出す部分を窓として、この窓を、等配置の鉄筋の最大間隔のものに合う長孔を複数形成した支持面板に、等配置の鉄筋の各種の間隔に合う幅に形成した中間添板と、この中間添板の上下に配して内縁側にそれぞれ鉄筋の通孔をあけた上添板と下添板を重ねた窓埋板で閉塞させたこと。
【０００７】
請求項２に係る発明は、上記窓埋板における上添板と下添板は支持面板へ取り付けられ、中間添板は支持面板へ添え付けられて、外部からの引っ張りで支持面板に固定されるようにしてあること。
【０００８】
請求項３に係る発明は、型枠の内部に鉄筋をその一部が周辺枠より外へ張り出すように収容して、コンクリートを打設することで、本体の周辺から接合用の鉄筋が張り出すＰＣ床版等を成形する型枠であって、上記周辺枠の外側に、各鉄筋の張出部がループをなす場合、その下部を受ける受材を、所要の間隔で周辺枠に支持させた複数の昇降軸に定着し、これら昇降軸にはそれぞれ楔、カム等の昇降手段を連係させてあること。
【０００９】
請求項４に係る発明は、上記鉄筋の張出部が複数の並列する直筋である場合、各張出部の下側を受ける複数の受材を、所要の間隔で周辺枠に支持される複数の昇降軸に定着し、これら昇降軸にそれぞれ楔、カム等の昇降手段を連係させてあること。
【００１０】
請求項５に係る発明は、型枠の内部に鉄筋をその一部が周辺枠より外へ張り出すように収容して、コンクリートを打設することで、本体の周辺から接合用の鉄筋が張り出すＰＣ床版等を成形する型枠であって、上記周辺枠の外側に、各鉄筋の張り出し寸法を揃える定規を、基端を枢軸で周辺枠へ取り付けた回動腕に支持させて設け、この定規を不用時は上方へ退避させ、使用時はストッパーで計寸位置に保持させること。
【発明の効果】
【００１１】
請求項１に係る発明によれば、周辺枠の窓を、長孔を開けた支持面板に鉄筋の間隔に収まる中間添板と、鉄筋の通孔を開けた上下の添板を重ねた窓埋板で閉塞させるので、支持面板の長孔より間隔が狭い複数の鉄筋は、その間隔に合わせた中間添板と鉄筋の通孔を開けた上下の添板を安価で加工し安い合板等で形成するだけで、材料費や製作費が高く付く支持面板は総てに共用して窓埋板を構成することができ、経費及び資材の節減が図れる。
【００１２】
請求項２に係る発明によれば、支持面板を周辺枠の窓の内側に止め、中間添板を上下の鉄筋の間に倒して置いて、鉄筋の張出部を支持面板の長孔から外へ出し、倒して置いた中間添板を支持面板に添え付けると、周辺枠の窓が簡単に確実に閉塞されるから、中間添板を引っ張ることで固定してコンクリートの打設により製品の成形を行い、成形を終って脱型するときは、中間添板の引っ張りを解けば中間添板と支持面板は製品に伴われて型枠から離れ、製品よりの離脱も容易に行われる。
【００１３】
請求項３に係る発明によれば、ループをなす鉄筋の張出部の下部を受材に支持させて置いて、鉄筋をインサート位置へ移すときは、楔、カム等で昇降軸を規定寸法だけ上昇させると、受材が張出部を押し上げて鉄筋を定盤上からインサート位置へ移し、この位置に保持することが容易確実にできる。
【００１４】
請求項４に係る発明によれば、複数の直筋が並列するそれぞれの張出部を受材に支持させて置いて、鉄筋をインサート位置へ移すときは、楔、カム等で昇降軸を規定寸法だけ上昇させると、各受材の連動した複数の張出部の押し上げで鉄筋をインサート位置へ移してここ保持することが容易確実にできる。
【００１５】
請求項５に係る発明によれば、不用時は回動腕を起こして上方に退避させることで作業の妨げにならないようにした定規を、必要時は回動腕を倒して鉄筋の張出部に対応させ、張出部の出っ張るものを引っ込ませて全部の張出部が定規へ当たるようにすることで、鉄筋揃えを容易確実に行える。
【発明を実施するための最良の形態】
【００１６】
以下に本発明に係るＰＣ床版等の成形型枠の実施形態を図面に付いて説明する。
【実施例１】
【００１７】
図１において符号Ａは、版体製品の周辺から鉄筋の一部が張り出す例えばＰＣ床版等を製造する型枠を示す。この型枠Ａは、定盤１と、この定盤１上に成形空間を形成する周辺枠、即ち、製品が方形床版の場合は、側枠２、２及び妻枠３、３で形成して、側枠２、２及び妻枠３、３と定盤１との接合は、コッター、ねじ、クランプによる締め付けや押し付けにより行うものであり、外形が同じで厚さが異なる複数種の製品を成形する場合には、図面及び説明は省略したが、周辺枠を上げ下げすることで成形空間の深さを加減し、製品の厚さの変化に対応するものである。
【００１８】
上記、側枠２、２及び妻枠３、３は、製品にインサートする鉄筋４の一部を外側に張り出させる部分を窓５とし、この窓５から鉄筋４の一部分の張出部４ａを外へ出すから、窓５は鉄筋４の張出部４ａ以外は開放することになるので、この開放する部分を閉塞する窓埋めが必要である。
【００１９】
尚、型枠Ａの側枠２、２及び妻枠３、３に対する本発明の実施態様はほぼ同一であるので、以後、側枠２、２についてのみ説明し、妻枠３、３についてはこれに実施する場合についてのみ説明する。
【００２０】
上記窓埋めには、図２及び図６（ａ）〜（ｄ）に示す通り窓５の内側に当てて、周囲を窓縁５ａに支持させることで、コンクリートの充填圧を受けさせる支持面板６の内側に、鉄筋４の間に収まる幅に形成した中間添板７と、この中間添板７の上下に配置する上添板８と下添板９を重ねて構成した窓埋板１０を用いる。
【００２１】
上記窓埋板１０の支持面板６は、上記窓５が側枠２に所定の間隔で取り付けた縦リブ１１によって幾つかに区分されるので、図３、図４に示す通り１区分に合わせた形状に形成して、鉄筋４の張出部４ａを通す長孔１２を複数開けてあり、この長孔１２は同じ配筋で間隔が相違する複数種類もの鉄筋４の総てに対応させるため、その中の最大間隔の鉄筋４が容易に通るように形成してある。そして、隣り合う鉄筋４の間には、ＰＣ鋼線１３が鉄筋４の間隔の変化に応じて位置や間隔が異なるように配置されるので、この位置や間隔の変化に応じた数のＰＣ鋼線１３を通す孔１４を開け、１枚の支持面板６を複数種類の鉄筋４に共用できるようにしてある。また、この支持面板６は、作業中、窓５に密着させて置く必要があるので、外面に設けた環１５に引っ張りゴム１６の止鉤１７を掛けて、支持面板６を窓縁５ａへ引き付けて置くようにする。
【００２２】
中間添板７は、支持面板６の内側に添えて使用するため、強度は必要としないのでコンパネ等を用いて簡単安価に形成することができる。そして、この中間添板７は、幅を上下の鉄筋４の間隔に合わせることで、上下の鉄筋４の間へ収めると、その幅分だけ支持面板６の長孔１２を閉塞させることができる。従って、間隔が異なる複数種類の鉄筋に対応するためには、その種類数だけ幅が異なる中間添板７を形成する。そして、これら中間添板７には、鉄筋４の間隔が変化すると、これに応じてＰＣ鋼線１３の数や配置も変化するので、この数や配置の変化に応じてＰＣ鋼線１３を通す孔１８を開ける。更に、中間添板７は、支持面板６とは分離してこれへ添え付けられるだけであるので、支持面板６に開けた長孔１２の中央部のものから外へ出るように環１９を取り付け、この環１９に支持面板６の環１５に掛けてあった引っ張りゴム１６の止鉤１７を掛け変えて引っ張らせることで、中間添板７と支持面板６を窓縁５ａへ引き付けて安定させるようにする。
【００２３】
上添板８及び下添板９は、内縁側にそれぞれ各鉄筋４が収まるＵ字形の孔２０を形成して、これら孔２０に鉄筋４を収まらせると、各々の内側縁が中間添板７の下縁と上縁に密着して、長孔１２の上端及び下端と鉄筋４との間にできる隙間を閉塞させる。従って、この上添板８及び下添板９は幅が異なるものを鉄筋４の組数分を形成して、支持面板６の上部及び下部へねじ２１で交換が容易なように取り付け、支持面板６と一体に扱うようにしてある。
【００２４】
上記構成の窓埋板１０は、型枠Ａ内に鉄筋４を収めてその一部分を側枠２の窓５から外へ張り出させる場合は、図６（ｂ）に示す通り支持面板６を窓縁４ａに当てて、引っ張りゴム１６による引き付けで安定させ、鉄筋４の張出部４ａの中へ図６（ｂ）に示す通り中間添板７を置いて、側枠２を定盤１へ向って移動させる。すると、鉄筋４の張出部４ａが支持面板６の長孔１２から外側へ張り出すので、側枠２の下部が定盤１に当接したとき側枠２を止めて、張出部４ａの間に置いた中間添板７を図６（ｃ）に示す通り起こして、支持面板６に添え付けてから、支持面板６の環１５に掛けてあった引っ張りゴム１６の止鉤１７を中間添板７の環１９に掛け変えれば、中間添板７と支持面板６が窓縁５ａへ圧接固定される。この状態では支持面板６に開けた長孔１２の鉄筋４の間に位置する部分が中間添板７で閉塞され、長孔１２上端及び下端と鉄筋４との隙間は、上添板８と下添板９で閉塞されて窓４を隙間なく閉ざす窓埋めが行われるから、この状態において型組みをし、成形空間へコンクリートを充填すれば、版体の周辺から鉄筋４の一部が張り出すＰＣ床版等を成形することができる。
【００２５】
上記の通り成形されたＰＣ床版等を脱型するときは、中間添板７の環１９に掛けた引っ張りゴム１６の止鉤１７を環１９から外して、妻枠３を定盤１から離れる方へ移動させると、支持面板６と中間添板７は、Ｃ床版等に付着して型枠側に残るので、ＰＣ床版等の脱型後に製品から離脱させる。
【００２６】
図７及び８において符号２２は、鉄筋４の張出部４ａを側枠２の外側で受ける受材を示す。この受材２２は、側枠２とほぼ同じ長さに形成して、複数の昇降軸２３を所要の間隔で貫設し、これら昇降軸２３を側枠２に設けた上縁材２ａ及び縦リブ１１に取り付けた上下の支持板２４と２５に支持させて、側枠２より少し離隔した位置に保持させる。そして、この受材２２を鉄筋４の張出部４ａを受ける高さに設定するには、昇降軸２３の外周にねじ２６を形成し、このねじ２６に受材２２を挟ませてナット２７と２８を螺合して、これらナット２７と２８を上下に移動調整する。
【００２７】
また、受材２２は、鉄筋４が定盤１上へ置かれるとき下側の鉄筋４を受けていて、この鉄筋４を定盤１から離れたインサート位置へ移すときは、必要な寸法だけ鉄筋４を押し上げさせるものであるから、各昇降軸２３の上端には、上部の支持板２４に設けたスリット２９に係合する楔受板３０を取付けて、これら楔受板３０に楔孔３１を設け、該楔孔３１に必要距離の押し上げが可能な斜面３２と、この斜面３２の低端に一致する平面部３３と高端に一致する平面部３４が形成された楔３５を挿して、この楔３５の押し引きで昇降軸２３を昇降させるようにする。
【００２８】
尚、昇降軸２３の昇降は、上記楔３５によることなく、必要距離の押し上げが可能となるように偏心距離差を設定したカムを用い、このカムを正逆に回転させることでも行い得るが、このカムタイプについての図面及び詳細な説明は省略する。
【００２９】
上記構成の受材２２は、鉄筋４が定盤１上に置かれるときは、楔受板３０に設けた楔孔３１に挿した楔３５を引いて、斜面３２の低端側の平面部３３に楔孔３１を係合させて置くことで、定盤１に揃う高さに保持して鉄筋４の張出部４ａを受けさせて置く。しかし、鉄筋４をインサート位置へ移すときは、楔３５を斜面３２の高端側の平面部３４が楔孔３１係合するまで押し出すと、昇降軸２３が楔受板３０により引き上げられて、受材２２を斜面３２の高低差だけ引き上げるから、張出部４ａを受材２２に支持される鉄筋４は定盤１から離れたインサート位置に移されてここに保持される。
【００３０】
尚、鉄筋４は図９に示す通り妻枠３側では、複数の直筋が並列されて各妻側枠３から外へ張り出す張出部４ａを有しているため、妻枠３の外側に各張出部４ａごとに受材２２を設ける点で上記実施形態とは異なる。しかし、各受材２２を昇降軸２３に支持させ、この昇降軸２３にねじ２６とナット２７、２８で受材２２の位置を調整する手段、楔受板３０と楔３５で受材２２を昇降調整する手段を付帯させる点は同一であるので、同一の部材に同一の符号を付して重複する説明は省略する。
【００３１】
また、妻枠３から外へ張り出す鉄筋４の張出部４ａは、図９に示すように長いから、上記の通り上縁材２ａに支持される受材２２に支持させるだけだと先垂れするので、これを防止する受材２２を、移動台３６に立てた支持枠３７へ妻枠３の縦リブ１１へ取り付けると同様に取り付けて複数の張出部４ａの先端側を支持させる。
【００３２】
図１０、図１１において符号３８は、側枠２から鉄筋４の端部が張り出す張出寸法を揃える定規を示す。この定規３８は、側枠２とほぼ同じ長さに形成して、基端に設けた立上部３９の上端を軸４０で縦リブ１１へ枢着した回動腕４１の先端へ、規定の張出寸法と一致するように固定する。そして、縦リブ１１の回動腕４１の基端の下角部４１ａに対応する部分には、回動腕４１を倒して水平にすると、回動腕４１の上記下角部４１ａに係合して回動腕４１を水平状態に保持するストッパー４２と４３を設けてある。
【００３３】
上記構成の定規３８は、回動腕４１を倒して、ストッパー４２と４３で水平に保持させると、先端に取り付けられた定規３８が鉄筋４の張出部４ａに対応するから、この状態で側枠２を定盤１へ向って移動させて、定規３８を張出寸法が不揃いな張出部４ａへ押し付けると、定規３８は出っ張る張出部４ａから順次に引っ込めつゝ進んで、総ての張出部４ａの張出寸法を一定に揃える作用を行うので、張出部４ａが揃えられたら側枠２の移動を止めて、回動腕４１を起こせば定規３８は図に示す通り型枠Ａの上方に退避して、作業の障害とならない。
【産業上の利用可能性】
【００３４】
版体製品の周辺から鉄筋の一部分が張り出す例えばＰＣ床版等を製造するのに利用できる。
【図面の簡単な説明】
【００３５】
【図１】本発明に係るＰＣ床版等の成形型枠を示す平面図。
【図２】成形型枠の側枠から鉄筋の一部を張り出させた窓を窓埋板で閉塞した状態を示す側面図。
【図３】窓埋板を示す斜視図。
【図４】窓埋板における支持面板を示す斜視図。
【図５】窓埋板における中間添板と上添板及び下添板を示す斜視図。
【図６】（ａ）（ｂ）（ｃ）（ｄ）は、側枠の窓を窓埋板で閉塞する状態を示す説明図。
【図７】成形型枠の側枠から張り出す鉄筋の張出部を受材で支持させた状態を示す側面図。
【図８】（ａ）（ｂ）は、同上受材の作用を示す説明図。
【図９】直筋を並列するため、張出部が複数になる場合の受材と、その外側に配置した移動可能な受材を示す側面図。
【図１０】成形型枠の側枠に窓から張り出す鉄筋の張出寸法を揃える定規を取り付けた状態を示す側面図。
【図１１】（ａ）（ｂ）は、同上受材の作用を示す説明図。
【符号の説明】
【００３６】
Ａ  成形型枠
２、３  周辺枠
４  鉄筋
５  窓
６  支持面板
７  中間添板
８  上添板
９  下添板
１０  窓埋板
１２  長孔
１４  孔
【図１】
2009119684.tif 000003
【図２】
2009119684.tif 000004
【図３】
2009119684.tif 000005
【図４】
2009119684.tif 000006
【図５】
2009119684.tif 000007
【図６】
2009119684.tif 000008
【図７】
2009119684.tif 000009
【図８】
2009119684.tif 000010
【図９】
2009119684.tif 000011
【図１０】
2009119684.tif 000012
【図１１】
2009119684.tif 000013